(57)【要約】【課題】開放揺動したレンズ４が化粧筆を使用する場合の邪魔になるのを防止しながら、顔の側方へ大きく突出するのを解消できる化粧用眼鏡を提供する。【解決手段】フレーム１と、フレーム１でヒンジ１５を介して個別に揺動開閉可能に支持される左右一対のレンズ４・４とを備えている。フレーム１は、各レンズ４の下半周に沿う左右一対のリム７・７と、左右のリム７・７どうしを繋ぐブリッジ８とを備えている。ヒンジ１５は、ヒンジ中心軸Ｐが水平の基準線Ｈに対して４５度傾く状態で各リム７の外側縁寄りの斜め下隅に配置する。以て、レンズ４・４を開放揺動した状態において、レンズ４・４は、その殆どの部分を各リム７・７の下方空間の外側方に退避させながらも、外側方への突出量を小さくできるようにする。【選択図】図１
0003108693.tif 000002
【実用新案登録請求の範囲】
【請求項１】
フレーム（１）と、フレーム（１）でヒンジ（１５）を介して個別に揺動開閉可能に支持される左右一対のレンズ（４・４）とを備えており、
フレーム（１）は各レンズ（４）の下半周に沿う左右一対のリム（７・７）と、左右のリム（７・７）どうしを繋ぐブリッジ（８）とを備えており、
ヒンジ（１５）は、各リム（７）の外側縁寄りの斜め下隅に配置されて、そのヒンジ中心軸（Ｐ）がフレーム（１）の外側方へ向かって上り傾斜しており、
レンズ（４・４）を開放揺動した状態において、レンズ（４・４）の殆どの部分が各リム（７・７）の下方空間の外側方に退避できるようにしたことを特徴とする化粧用眼鏡。
【請求項２】
前記ヒンジ中心軸（Ｐ）が、水平の基準線Ｈに対して４５度傾いていて、レンズ（４）を左右横長の使用位置と、上下縦長の開放位置とに姿勢変更できる請求項１記載の化粧用眼鏡。
【請求項３】
レンズ（４）を使用位置において係合保持するための止め具（１８）が、ブリッジ（８）に設けてある請求項１または２記載の化粧用眼鏡。
【請求項４】
ヒンジ（１５）が、リム（７）に固定される第１ヒンジピース（１５ａ）と、レンズ枠（１２）に固定される第２ヒンジピース（１５ｂ）と、両ヒンジピース（１５ａ・１５ｂ）を連結するヒンジピン（１５ｃ）とで構成されており、
第１・第２の両ヒンジピース（１５ａ・１５ｂ）間に、レンズ（４）を開放方向へ揺動付勢する支援ばね（２３）が介装されており、
レンズ４と止め具（１８）との係合を解除した状態において、レンズ（４）を支援ばね（２３）で使用位置から所定量だけ開放操作できる請求項２または３記載の化粧用眼鏡。
【考案の詳細な説明】
【技術分野】
【０００１】
本考案は、眼鏡を掛けた状態のままでアイメイクアップを行える化粧用眼鏡に関する。
【背景技術】
【０００２】
この種の眼鏡として、左右の矯正レンズ（以下、単にレンズという）をフレームで個別に揺動開閉自在に支持することが公知である。この種の眼鏡には、レンズを水平方向のヒンジ軸で支持して、フレームの上下方向のいずれかに揺動開閉する第１の形態（特許文献１、２参照）と、レンズを垂直方向のヒンジ軸で支持して、使用位置とフレームの左右外側方との間で揺動開閉する第２の形態（特許文献３参照）と、レンズを前後方向のヒンジ軸で支持して、フレームの中央寄り上方へ跳ね上げ開放する第３の形態（特許文献４参照）などがある。
【０００３】
【特許文献１】実公昭４５−１１０５２号公報（第１頁第２欄５〜８行、第２図）
【特許文献２】登録実用新案第３０５７３７４号公報（段落番号０００６、図１）
【特許文献３】実開昭６２−２２６２３号公報（第１頁、第１図）
【特許文献４】登録実用新案第３０９２２９１号公報（段落番号００１３、図５）
【考案の開示】
【考案が解決しようとする課題】
【０００４】
この種のめがねは、眼鏡を掛けた状態のままでアイメイクアップを行う必要上、レンズの下半周（あるいは上半周）に沿う一対のリムと、左右のリムを繋ぐブリッジなどでフレームを構成し、眼、まつ毛および眉毛の周辺をできるだけ開放できるようにしている。アイメイクアップを行う場合には、レンズをヒンジ軸を中心にしてフレームの外に開放揺動するが、レンズの開放形態に問題がある。
【０００５】
レンズをリムより上方へ跳ね上げ開放する形態（特許文献１、第２図）では、一対のリムをレンズの上半周に沿って設けているので、眉毛のメイクアップを行う場合にリムが邪魔になる。この点、一対のリムがレンズの下半周に沿って設けてあると（特許文献１、第３図、特許文献２）、レンズを下方へ倒しこんだ状態において、眼、まつ毛はもちろんのこと、眉毛の周辺をも開放して、眉毛のメイクアップ時にリムが邪魔になるのを解消できる。問題は、開放したレンズがリムの直下（頬の前外方）に位置するので、化粧筆を持った掌を頬にあてがって化粧筆を安定させる場合に、掌部分がレンズに接するのを避けられず、レンズが邪魔になって化粧筆を思い通りに動かすのが困難になる。
【０００６】
垂直方向のヒンジ軸でレンズを支持する形態（特許文献３）では、レンズがフレームの外側方へ開放揺動するので、化粧筆を使用する場合にレンズが邪魔になることはない。しかし、テンプル用のヒンジに隣接してレンズ用のヒンジを設けるので、レンズやテンプルを開閉するとき各ヒンジが開閉するおそれがあり、開放操作したレンズを適正な使用位置に戻すのが困難になる。開放操作したレンズが顔の側方へ大きく突出するので、狭い場所でアイメイクアップを行うような場合にレンズが他物と接触するおそれがある。
【０００７】
前後方向のヒンジ軸でレンズを支持する形態（特許文献４）では、開放操作したレンズがブリッジ上方に縦長姿勢で起立するので、化粧筆を使用する場合にレンズが邪魔になることはない。しかし、レンズの揺動基端側が眉毛の一部に被さるので、先の眼鏡と同様に眉毛のメイクアップを行う場合にレンズが邪魔になる。
【０００８】
従来の眼鏡では、いずれもヒンジのストッパー機能を利用してレンズを位置決め保持しているが、揺動基端に位置するヒンジの接触位置の僅かな違いによって、使用位置へ復帰操作した時のレンズの位置がばらつくのを避けられず、開閉操作する度毎にレンズの位置調整を行わねばならない煩わしさがある。
【０００９】
本考案の目的は、レンズを開放揺動した状態において眼、まつ毛、および眉毛の周辺を開放できるのはもちろんのこと、開放揺動したレンズが化粧筆を使用する場合の邪魔になるのも防止しながら、開放操作したレンズが顔の側方へ大きく突出するのを解消できる化粧用眼鏡を提供することにある。本考案の目的は、開放位置から使用位置へ復帰揺動したレンズを、フレームに対して適正な姿勢で位置決め固定できる化粧用眼鏡を提供することにある。
【課題を解決するための手段】
【００１０】
本考案の化粧用眼鏡は、フレーム１と、フレーム１でヒンジ１５を介して個別に揺動開閉可能に支持される左右一対のレンズ４・４とを備えている。フレーム１は各レンズ４の下半周に沿う左右一対のリム７・７と、左右のリム７・７どうしを繋ぐブリッジ８とを備えている。ヒンジ１５は、各リム７の外側縁寄りの斜め下隅に配置されて、そのヒンジ中心軸Ｐがフレーム１の外側方へ向かって上り傾斜している。以て、レンズ４・４を開放揺動した状態において、レンズ４・４の殆どの部分が各リム７・７の下方空間の外側方に退避できるようにしたことを特徴とする。
【００１１】
具体的には、ヒンジ中心軸Ｐを水平の基準線Ｈに対して４５度傾けて、レンズ４を左右横長の使用位置と、上下縦長の開放位置とに姿勢変更できるようにすることができる。
【００１２】
レンズ４を使用位置において係合保持するための止め具１８がブリッジ８に設けられている。
【００１３】
ヒンジ１５は、リム７に固定される第１ヒンジピース１５ａと、レンズ枠１２に固定される第２ヒンジピース１５ｂと、両ヒンジピース１５ａ・１５ｂを連結するヒンジピン１５ｃとで構成する。第１・第２の両ヒンジピース１５ａ・１５ｂ間に、レンズ４を開放方向へ揺動付勢する支援ばね２３を介装し、レンズ４と止め具１８との係合を解除した状態において、レンズ４を支援ばね２３で使用位置から所定量だけ開放操作できるようにすることができる。
【考案の効果】
【００１４】
本考案では、各レンズ４の下半周に沿う左右一対のリム７・７と、左右のリム７・７どうしを繋ぐブリッジ８とでフレーム１を構成して、レンズ４を開放揺動した状態において眼やまつ毛の周辺を開放できるのはもちろんのこと、眉毛の外面がフレーム１で覆われるのを防止できるようにした。そのうえで各レンズ４を支持するヒンジ１５は、ヒンジ中心軸Ｐがフレーム１の外側方へ向かって上り傾斜するように、各リム７の外側縁寄りの斜め下隅に配置して、レンズ４・４を開放揺動した状態において、その殆どの部分を各リム７の下方空間の外側方に退避させて、レンズ４が化粧筆を使用する場合の邪魔になるのを防止しながら、同時に開放操作したレンズ４が顔の側方へ大きく突出するのを解消できるようにしたので、化粧しやすく使い勝手に優れた化粧用眼鏡が得られる。
【００１５】
ヒンジ中心軸Ｐを水平の基準線Ｈに対して４５度傾けて、レンズ４を左右横長の使用位置と、上下縦長の開放位置とに姿勢変更できるようにしてあると、リム７の側方へ大きく突出するのを確実に避けながら、各レンズ４をリム７の下方空間の外側方へ効果的に退避させることができる。
【００１６】
ブリッジ８に設けた止め具１８でレンズ４を係合保持できるようにしてあると、開放位置から使用位置へ復帰揺動させたレンズ４は、フレーム１に対して適正に位置決め固定できるので、ヒンジのストッパー機能を利用してレンズを位置決め保持していた従来の化粧用めがねに比べて、使用位置へ復帰操作したレンズ４の位置がばらつくのを解消し、常に適正な使用姿勢にレンズ４を保持固定できる。止め具１８の係合状態を解除しない限りは、レンズ４を使用位置に保持固定できるので、例えば顔をうつむけるような場合に、使用者の意に反してレンズ４が開放揺動するのを確実に防止でき、化粧用眼鏡を通常のめがねとして使用する際の使い勝手が向上する。
【００１７】
第１・第２の両ヒンジピース１５ａ・１５ｂとヒンジピン１５ｃとでヒンジ１５を構成し、両ヒンジピース１５ａ・１５ｂ間に介装した支援ばね２３でレンズ４を開放方向へ揺動付勢する化粧用眼鏡によれば、レンズ４と止め具１８との係合を解除するのと同時に、レンズ４を使用位置から所定量だけ開放操作してレンズ４の開放操作をより簡便に行える。しかも、支援ばね２３によるレンズ４の開放量は、使用位置から所定量だけに限定されているので、止め具１８を係合解除するのと同時に、レンズ４が急激に反転揺動して開放姿勢に切り換わるのを防止して、レンズ４の開閉を使用者の意図通りに行える。
【考案を実施するための最良の形態】
【００１８】
（実施例）  図１ないし図５は本考案に係る化粧用眼鏡の実施例を示しており、フレーム１と、フレーム１の両側端後ろ側に連続する左右一対のテンプル２・２と、フレーム１とテンプル２とを折り畳み自在に接続するヒンジ３と、フレーム１で支持される左右一対のレンズ４・４などを有する。テンプル２・２の大部分とフレーム１とは金属で形成してある。
【００１９】
フレーム１は、各レンズ４の下半周に沿う左右一対のリム７・７と、左右のリム７・７どうしを繋ぐブリッジ８とを備えており、ブリッジ８の後面左右に鼻パッド９・９が装着されている。図１において各リム７・７は、下突状の湾曲縁７ａと、湾曲縁７ａの左右端に滑らかに連続して立ち上がる内側縁７ｂおよび外側縁７ｃと、各外側縁７ｃの上端に連続して後ろ向きに折り曲げた連結腕７ｄとからなり、各内側縁７ｂの上端どうしが先のブリッジ８で接続されている。内側縁７ｂおよび外側縁７ｃは概ね同じ高さ位置にあり、これら両者７ｂ・７ｃを結ぶ線より下側にレンズ中心が位置するようにしてある。連結腕７ｄの後端には、テンプル２がヒンジ３を介して連結されている。
【００２０】
レンズ４は、左右に長い花弁状のレンズ本体１１と、レンズ本体１１の周縁を抱持する金属製のレンズ枠１２とで構成されており、図２に示すようにレンズ枠１２の端部に設けたボス１３どうしをねじ１４で締結固定することにより、レンズ枠１２をレンズ本体１１と一体化している。左右の各レンズ４・４は、左右のリム７・７でヒンジ１５を介して個別に揺動開閉可能に支持してある。
【００２１】
開放状態のレンズ４が化粧筆を使用する際の邪魔になるのを防止しながら、レンズ４が顔の側方へ大きく突出するのを解消するために、先のヒンジ１５は、ヒンジ中心軸Ｐがフレーム１の外側方へ向かって上り傾斜する状態で、各リム７の外側縁７ｃ寄りの斜め下隅に配置してある。
【００２２】
詳しくは、図１に示すように、ヒンジ中心軸Ｐが水平の基準線Ｈに対して４５度傾く状態で、ヒンジ１５を湾曲壁７ａと外側縁７ｃとの隣接隅部の外周面に配置する。このようにヒンジ１５を傾斜配置することにより、レンズ４を左右横長の使用位置と、上下縦長の開放位置とに姿勢変更でき、レンズ４を開放揺動した状態において、その殆どの部分が各リム７の下方空間の外側方に退避できる。
【００２３】
開放位置から使用位置へ復帰揺動したレンズ４を、フレーム１に対して適正な姿勢で位置決め固定するために、ブリッジ８に止め具１８を設ける。図１および図４において止め具１８は、断面逆Ｕ字状の装着溝１９を備えたプラスチック成形品からなり、その前端面の左右にレンズ４のレンズ枠１２に係合する保持爪２０が横向きに張り出し形成してある。装着溝１９をブリッジ８に上方から圧嵌装着し、装着溝１９の下端両側に設けた抜止片２１をブリッジ８の下周面に係合させることにより、止め具１８をブリッジ８と分離不能に一体化できる。
【００２４】
レンズ４を支持するヒンジ１５は、リム７に固定される第１ヒンジピース１５ａと、レンズ枠１２に固定される第２ヒンジピース１５ｂと、両ヒンジピース１５ａ・１５ｂの間に介装した支援ばね２３と、これら三者１５ａ・１５ｂ・２３を連結するヒンジピン１５ｃとを含む。支援ばね２３は、ばね板材で形成してあり、その基部が第２ヒンジピース１５ｂ側に組み込まれて、弾性変形したばね腕２４がリム７に受け止められている。
【００２５】
支援ばね２３は、レンズ４を使用位置に戻した状態においてばね腕２４がリム７に接当して、レンズ４を開放方向へ揺動付勢しており、レンズ４と止め具１８との係合を解除した状態において、レンズ４をばね腕２４で所定量だけ開放操作できる。具体的には、レンズ枠１２の内面が保持爪２０の外面から１０mm前後離れるまでレンズ４を開放操作できる。両ヒンジピース１５ａ・１５ｂは基本的に相対揺動可能であるが、その揺動抵抗はゼロではなく、支援ばね２３でレンズ４を開放操作できる程度の揺動抵抗を有する。
【００２６】
レンズ４の揺動基端を支援ばね２３で開放方向へ揺動付勢し、ヒンジ１５から充分に離れたレンズ４の揺動先端側を止め具１８の保持爪２０で受け止めていると、使用位置に戻したレンズ４をフレーム１に対して常に適正な姿勢で位置決め固定できるので、レンズ４を開閉揺動操作する度毎にレンズ４の位置調整を行わねばならない煩わしさを解消できる。
【００２７】
上記構成の化粧用眼鏡によれば、レンズ４を開放揺動した状態において眼、まつ毛および眉毛の周辺の全てを同時に開放できるし、レンズ４を左右横長の使用位置から上下縦長の開放位置へ姿勢変更した状態においては、図５に示すように、その殆どの部分を各リム７の下方空間の外側方に退避させることができるので、開放揺動したレンズ４が化粧筆を使用する場合の邪魔になるのを防止できる。さらに、レンズ３０を垂直方向のヒンジ軸で支持して、フレーム１の左右外側方へ開放揺動する従来の化粧用眼鏡に比べて、開放操作したレンズ４が顔の側方へ大きく突出するのを解消できる。なお、符号３１で示すレンズは、水平方向のヒンジ軸を中心にしてリム７の下方へ反転揺動した状態を示す。
【００２８】
例えば、左側のレンズ４を開放揺動するときは、右手の親指を止め具１８の前面にあてがい、保持爪２０の近傍に位置するレンズ枠１２の内端に人差し指の指先を掛けて、保持爪２０の弾性に抗しながらレンズ枠１２を分離操作する。このとき、支援ばね２３によってレンズ４が僅かに開放操作されるので、以後はレンズ４を反転揺動操作して開放位置へ退避させる。開放操作したレンズ４を使用位置へ戻す場合には、レンズ４を起立揺動操作し、レンズ枠１２を保持爪２０に押付けて爪内面に係合させる。
【００２９】
ヒンジ中心軸Ｐの基準線Ｈに対する傾き角度は４５度であることが好ましいが、レンズ４の形状によっては傾き角度を変更することができる。その場合にも、ヒンジ１５はリム７の湾曲縁７ａと外側縁７ｃとの隅部近傍に配置することが好ましい。
【００３０】
上記の実施例では、レンズ４を止め具１８の前面左右に設けた保持爪２０で、開放揺動不能に係合保持したが、レンズ４を止め具１８で前後移動不能に弾性係合してもよい。レンズ４はレンズ枠１２を省略してレンズ本体１１のみで構成することができる。支援ばね２３は捻りコイルばねや、ゴム片で形成することができる。
【図面の簡単な説明】
【００３１】
【図１】片方のレンズを開放揺動した状態の化粧用眼鏡の正面図である。
【図２】化粧用眼鏡の側面図である。
【図３】レンズを支持するヒンジの断面図である。
【図４】止め具の横断平面図である。
【図５】開放揺動したレンズの態様を示す正面図である。
【符号の説明】
【００３２】
１  フレーム
４  レンズ
７  リム
８  ブリッジ
１２  レンズ枠
１５  ヒンジ
１５ａ  第１ヒンジピース
１５ｂ  第２ヒンジピース
１５ｃ  ヒンジピン
１８  止め具
２３  支援ばね
Ｈ  水平の基準線
Ｐ  ヒンジ中心軸
【図１】
0003108693.tif 000003
【図２】
0003108693.tif 000004
【図３】
0003108693.tif 000005
【図４】
0003108693.tif 000006
【図５】
0003108693.tif 000007